(57)【要約】【課題】必要以上のバッテリ消費を抑制しつつ、ホスト装置の次回起動時における測位高速化（ホットスタート）を実現する。【解決手段】バッテリ駆動のホスト装置の電源がオフとされている期間中にＧＰＳ受信部による測位を裏測位として定期的に実行することによりホスト装置の次回起動時における測位高速化（ホットスタート）を実現する電子機器において、裏測位の実行に制限を加える。例えば、ホスト装置の電源オフ時点と測位が前回成功した時点との時間差（ＬＤＩＦ）が所定の基準時間（Ｌ１）以上であるときや、基準時間（Ｌ１）以上に亘って裏測位が連続失敗したとき、次回測位は必ずコールドスタートになるため、新たな裏測位の実行を禁止する。【選択図】図９
2012154872.tif 000002
【特許請求の範囲】
【請求項１】
ホスト装置を有する電子機器において、
衛星からの信号に基づき前記ホスト装置の測位を行う測位処理部と、
前記ホスト装置の電源がオフとされているオフ期間を含む特定期間中に前記測位を裏測位として間欠的に実行させる裏測位制御動作を成す測位制御部と、を備え、
前記測位制御部は、前記特定期間の開始時点から見て前回に測位が成功した時点と前記特定期間の開始時点との時間差を所定の第１基準時間と比較し、前記時間差が前記第１基準時間以上であるとき、前記裏測位制御動作の開始を禁止する
ことを特徴とする電子機器。
【請求項２】
前記ホスト装置は、１又は複数の電池から成るバッテリ部の出力電圧に基づいて駆動し、
前記測位制御部は、前記特定期間の開始時点における前記バッテリ部の残容量が所定の基準容量以下であるときにおいても、前記裏測位制御動作の開始を禁止する
ことを特徴とする請求項１に記載の電子機器。
【請求項３】
前記ホスト装置は、１又は複数の電池から成るバッテリ部の出力電圧に基づいて駆動し、
前記測位制御部は、前記裏測位制御動作の開始後、前記バッテリ部の残容量が所定の基準容量以下になったとき、前記裏測位制御動作の実行を終了する
ことを特徴とする請求項１に記載の電子機器。
【請求項４】
ホスト装置を有する電子機器において、
衛星からの信号に基づき前記ホスト装置の測位を行う測位処理部と、
前記ホスト装置の電源がオフとされているオフ期間を含む特定期間中に前記測位を裏測位として間欠的に実行させる裏測位制御動作を成す測位制御部と、を備え、
前記測位制御部は、
所定の第１基準時間以上に亘り前記裏測位が連続して失敗したとき、又は、
前記特定期間前に成された１又は複数の測位及び前記特定期間中に成された１又は複数の裏測位を含む全ての測位が、前記第１基準時間以上に亘り連続して失敗したとき、
前記裏測位制御動作の実行を終了する
ことを特徴とする電子機器。
【請求項５】
ホスト装置を有する電子機器において、
衛星からの信号に基づき前記ホスト装置の測位を行う測位処理部と、
前記ホスト装置の電源がオフとされているオフ期間を含む特定期間中に前記測位を裏測位として間欠的に実行させる裏測位制御動作を成す測位制御部と、を備え、
前記測位制御部は、複数の裏測位の結果に基づき所定の第２基準時間以上に亘って当該ホスト装置の位置に変化がないと判断したとき、前記裏測位制御動作の実行を終了する
ことを特徴とする電子機器。
【請求項６】
ホスト装置を有する電子機器において、
衛星からの信号に基づき前記ホスト装置の測位を行う測位処理部と、
前記ホスト装置の電源がオフとされているオフ期間を含む特定期間中に前記測位を裏測位として間欠的に実行させる裏測位制御動作を成す測位制御部と、を備え、
前記測位制御部は、前記特定期間の開始時点からの経過時間が所定の第３基準時間以上になったとき、前記裏測位制御動作の実行を終了する
ことを特徴とする電子機器。
【請求項７】
前記ホスト装置は、１又は複数の電池から成るバッテリ部の出力電圧に基づいて駆動し、
前記測位制御部は、前記バッテリ部の残容量が前記基準容量以下になったときにおいても、前記裏測位制御動作の実行を終了する
ことを特徴とする請求項４〜請求項６の何れかに記載の電子機器。
【請求項８】
前記特定期間は前記オフ期間と一致する
ことを特徴とする請求項１〜請求項７の何れかに記載の電子機器。
【発明の詳細な説明】
【技術分野】
【０００１】
本発明は、デジタルカメラ等のホスト装置を備えた電子機器に関する。
【背景技術】
【０００２】
デジタルカメラ等のホスト装置には、ＧＰＳ受信機が取り付けられることがある。ＧＰＳ受信機は、グローバルポジショニングシステムを形成する３個以上の衛星からの信号を受信し、受信信号からエフェメリスデータを得ることでホスト装置の測位を行うことができる。
【０００３】
測位の方法には、測位の完了に約３６秒以上必要なコールドスタートと、過去に得たエフェメリスデータを用いることで約５秒で測位を完了させることのできるホットスタートと、がある。ホットスタートの利用によって測位の高速化を図ることができる。但し、ホットスタートの実行には時間的制限があり、前回にエフェメリスデータを得た時点から規定時間（約２時間）以内においてのみホットスタートは実行可能である。前回にエフェメリスデータを得た時点から規定時間が経過した後には、コールドスタートしか実行できない。従って、ホスト装置の電源オフと連動してＧＰＳ受信機の電源がオフとされる電子機器において、ホスト装置の電源が上記規定時間以上オフとされていると、ホスト装置の次回起動時にはコールドスタートしか実行できず、ユーザは、測位結果が得られるまでに比較的長い時間待たなければならない。
【０００４】
これを考慮し、ホスト装置の電源がオフとなっている期間中に、ＧＰＳ受信機による測位動作を定期的に繰り返してＧＰＳ受信機の保持するエフェメリスデータを更新していく方法が提案されている（特許文献１参照）。ホスト装置の電源がオフとなっている期間中の測位を裏測位とも言う。尚、この方法では、電子機器のバッテリ残容量が所定値になると、裏測位が中止される（特許文献１参照）。
【先行技術文献】
【特許文献】
【０００５】
【特許文献１】特開２００９−２７０９２９号公報
【発明の概要】
【発明が解決しようとする課題】
【０００６】
裏測位を定期的に実行するようにすれば、ホスト装置の電源オフ期間の長さが上記規定時間より長い場合においても、次回にホスト装置の電源がオンとされたとき、直ちにホットスタートを行うことが可能となる。しかしながら、裏測位の実行は当然電力消費を伴うため、無制限に裏測位を実行することは望ましくない。例えば、ホスト装置の電源オフ期間が相応に長いときにおいて無制限に裏測位を繰り返し実行すると、ユーザの知らぬ間に電子機器のバッテリ残容量が枯渇し、次回にホスト装置の電源をオンしようとしたときにホスト装置を起動できないといったことが生じ得る。このような事態は、当然、回避されるべきである。従って、無駄な裏測位或いは必要性の低い裏測位の実行などは極力省いて、電力消費を抑制する技術が要求される。尚、ホスト装置の動作モードが省電力モード等であるときにおいて裏測位を行う場合においても、上述と同様のことが言える。
【０００７】
そこで本発明は、裏測位による電力消費の抑制に寄与する電子機器を提供することを目的とする。
【課題を解決するための手段】
【０００８】
本発明に係る第１の電子機器は、ホスト装置を有する電子機器であって、衛星からの信号に基づき前記ホスト装置の測位を行う測位処理部と、前記ホスト装置の電源がオフとされているオフ期間を含む特定期間中に前記測位を裏測位として間欠的に実行させる裏測位制御動作を成す測位制御部と、を備え、前記測位制御部は、前記特定期間の開始時点から見て前回に測位が成功した時点と前記特定期間の開始時点との時間差を所定の第１基準時間と比較し、前記時間差が前記第１基準時間以上であるとき、前記裏測位制御動作の開始を禁止することを特徴とする。
【０００９】
第１の電子機器によれば、特定期間中における無駄な又は過度の電力消費を抑制することができる。
【００１０】
また例えば、第１の電子機器において、前記ホスト装置は、１又は複数の電池から成るバッテリ部の出力電圧に基づいて駆動し、前記測位制御部は、前記特定期間の開始時点における前記バッテリ部の残容量が所定の基準容量以下であるときにおいても、前記裏測位制御動作の開始を禁止するようにしてもよい。
【００１１】
また例えば、第１の電子機器において、前記ホスト装置は、１又は複数の電池から成るバッテリ部の出力電圧に基づいて駆動し、前記測位制御部は、前記裏測位制御動作の開始後、前記バッテリ部の残容量が所定の基準容量以下になったとき、前記裏測位制御動作の実行を終了するようにしてもよい。
【００１２】
本発明に係る第２の電子機器は、ホスト装置を有する電子機器であって、衛星からの信号に基づき前記ホスト装置の測位を行う測位処理部と、前記ホスト装置の電源がオフとされているオフ期間を含む特定期間中に前記測位を裏測位として間欠的に実行させる裏測位制御動作を成す測位制御部と、を備え、前記測位制御部は、所定の第１基準時間以上に亘り前記裏測位が連続して失敗したとき、又は、前記特定期間前に成された１又は複数の測位及び前記特定期間中に成された１又は複数の裏測位を含む全ての測位が、前記第１基準時間以上に亘り連続して失敗したとき、前記裏測位制御動作の実行を終了することを特徴とする。
【００１３】
第２の電子機器によっても、特定期間中における無駄な又は過度の電力消費を抑制することができる。
【００１４】
本発明に係る第３の電子機器は、ホスト装置を有する電子機器であって、衛星からの信号に基づき前記ホスト装置の測位を行う測位処理部と、前記ホスト装置の電源がオフとされているオフ期間を含む特定期間中に前記測位を裏測位として間欠的に実行させる裏測位制御動作を成す測位制御部と、を備え、前記測位制御部は、複数の裏測位の結果に基づき所定の第２基準時間以上に亘って当該ホスト装置の位置に変化がないと判断したとき、前記裏測位制御動作の実行を終了することを特徴とする。
【００１５】
ホスト装置が長期間に亘って同じ場所に配置されている状態は、ホスト装置が長期間使用されることなく放置されている状態に相当すると推測される。このような状態において裏測位を継続しつづける必要性は低い。従って、比較的長い時間に亘ってホスト装置の位置変化がないと判断された場合に（裏測位の継続必要性が低いと判断され場合に）、裏測位制御動作の実行を終了させるようにすれば、必要性の低い裏測位による電力消費を抑制することができる。
【００１６】
本発明に係る第４の電子機器は、ホスト装置を有する電子機器であって、衛星からの信号に基づき前記ホスト装置の測位を行う測位処理部と、前記ホスト装置の電源がオフとされているオフ期間を含む特定期間中に前記測位を裏測位として間欠的に実行させる裏測位制御動作を成す測位制御部と、を備え、前記測位制御部は、前記特定期間の開始時点からの経過時間が所定の第３基準時間以上になったとき、前記裏測位制御動作の実行を終了することを特徴とする。
【００１７】
ホスト装置の電源が長期間に亘ってオフとされている状態など、特定期間が長時間に亘って続く状態は、ホスト装置が長期間使用されることなく放置されている状態に相当すると推測される。このような状態において裏測位を継続しつづける必要性は低い。従って、特定期間が比較的長く続く場合に（裏測位の継続必要性が低いと判断される場合に）、裏測位制御動作の実行を終了させるようにすれば、必要性の低い裏測位による電力消費を抑制することができる。
【００１８】
また例えば、第２、第３又は第４の電子機器において、前記ホスト装置は、１又は複数の電池から成るバッテリ部の出力電圧に基づいて駆動し、前記測位制御部は、前記バッテリ部の残容量が前記基準容量以下になったときにおいても、前記裏測位制御動作の実行を終了するようにしてもよい。
【００１９】
また具体的には例えば、第１、第２、第３又は第４の電子機器において、前記特定期間は前記オフ期間と一致する。
【発明の効果】
【００２０】
本発明によれば、裏測位による電力消費の抑制に寄与する電子機器を提供することが可能である。
【図面の簡単な説明】
【００２１】
【図１】本発明の実施形態に係る電子機器の概略ブロック図である。
【図２】図１に示されるＧＰＳ受信部の内部ブロック図である。
【図３】エフェメリスデータの保存動作を説明するための図である。
【図４】複数の裏測位の実行タイミングを表す図である。
【図５】オン期間、オフ期間及び裏測位の実行時点等のタイミング関係を示す図である。
【図６】本発明の実施形態に係る第１制限方法を説明するための図である。
【図７】本発明の実施形態に係る第２制限方法を説明するための図である。
【図８】本発明の実施形態に係る第３制限方法を説明するための図である。
【図９】図２の測位制御部による裏測位制御動作のフローチャートである。
【発明を実施するための形態】
【００２２】
以下、本発明の実施形態の例を、図面を参照して具体的に説明する。参照される各図において、同一の部分には同一の符号を付し、同一の部分に関する重複する説明を原則として省略する。
【００２３】
図１に、本発明の実施形態に係る電子機器１の概略ブロック図を示す。電子機器１は、バッテリ部２、電源回路３、ホスト装置４、ＧＰＳ受信機とも言うべきＧＰＳ受信部５、タイマ６及び残容量検出部７を備える。特に、携帯可能な電子機器、又は、車両、船舶等の移動体に搭載されて移動しうる電子機器が電子機器１として想定される。
【００２４】
バッテリ部２は１又は複数の電池から成り、バッテリ部２の電池の出力電圧を、バッテリ部２の出力電圧として電源回路３に供給する。バッテリ部２における電池は、アルカリ電池等の一次電池でも良いし、ニッケル水素電池又はリチウムイオン電池等の二次電池でも良い。
【００２５】
電源回路３は、バッテリ部２の出力電圧からホスト電源電圧及びＧＰＳ電源電圧を生成する。バッテリ部２の出力電圧の電圧値とホスト電源電圧及びＧＰＳ電源電圧の電圧値が異なる場合には、電源回路３に電力変換回路（不図示）を組み込み、電力変換回路を用いてバッテリ部２の出力電圧をホスト電源電圧及びＧＰＳ電源電圧に変換することができる。
【００２６】
ホスト装置４は、任意の情報の取得、再生又は加工等を行うことのできる任意の情報機器であり、該情報機器は、例えば、デジタルカメラ、ゲーム機器、パーソナルコンピュータ、携帯電話機、電子書籍リーダ、電子辞書、ナビゲーション装置である。電子機器１そのものが上記情報機器であると捉えても良い。情報機器としてのデジタルカメラは、静止画像のみを撮影及び記録可能なデジタルスチルカメラ、又は、静止画像及び動画像を撮影及び記録可能なデジタルビデオカメラである。
【００２７】
図２に、ＧＰＳ受信部５の内部ブロック図を示す。ＧＰＳ受信部５は、測位処理部１１、測位制御部１２及びメモリ１３を備える。ＧＰＳ受信部５は、グローバルポジショニングシステム（以下、ＧＰＳという）を形成する３個以上の衛星（以下、ＧＰＳ衛星という）から送信される信号を受信し、受信信号に基づきホスト装置４の測位を行う。本実施形態において、受信信号とは、特に断りなき限り、ＧＰＳ衛星から送信された信号を受信したものを指す。
【００２８】
ホスト装置４の測位は、測位制御部１２による制御の下、測位処理部１１によって行われる。ホスト装置４の測位とは、“３個以上のＧＰＳ衛星の送信信号を受信し、受信信号から３個以上のＧＰＳ衛星についてのエフェメリスデータを取得し、取得したエフェメリスデータに基づきホスト装置４の位置を求める処理”を指す。求められるホスト装置４の位置は、ホスト装置４の緯度、経度及び高度を含む。但し、ホスト装置４の高度は、求められるホスト装置４の位置に含まれないこともある。周知の如く、或るＧＰＳ衛星のエフェメリスデータは、当該ＧＰＳ衛星の軌道情報と、正確な時刻を表す時刻情報と、を含む。メモリ１３は、ホスト装置４の測位によって取得されたエフェメリスデータを更新しながら保存する。
【００２９】
ホスト装置４の測位の結果、即ち、求められたホスト装置４の緯度、経度及び高度は、測位結果データとしてホスト装置４に出力される。ホスト装置４は、測位結果データを利用して任意の処理を成すことができる。例えば、ホスト装置４がデジタルカメラである場合、測位結果データに基づく撮影地点情報を、撮影画像の画像データと共に記録媒体（不図示）に保存することができる。或いは例えば、ホスト装置４がナビゲーション装置である場合、測位結果データを用いて必要なナビゲーション動作を成すことができる。尚、ホスト装置４の位置と電子機器１の位置は同じであるため、ホスト装置４の測位は電子機器１の測位と等価である。以下では、ホスト装置４又は電子機器１の測位を単に測位とも表記する。また、測位を実現するための処理を測位処理と言う。
【００３０】
タイマ６は、クロック発生器及びカウンタ（何れも不図示）等から成り、任意の時点からの経過時間を計測する。
【００３１】
残容量検出部７は、バッテリ部２の残容量を検出する。バッテリ部２が１つの電池から成る場合、当該電池の残容量がバッテリ部２の残容量に相当する。バッテリ部２が複数の電池から成る場合、当該複数の電池の残容量を合成したものがバッテリ部２の残容量に相当する。バッテリ部２又は電池の残容量は、バッテリ部２又は電池を充電することなく、バッテリ部２又は電池が出力することのできる電力量に比例する量である。バッテリ部２の残容量を検出する方法として、公知の方法を含む任意の方法を利用可能である。例えば、バッテリ部２の出力電圧及び出力電流を検出する電圧センサ及び電流センサ（何れも不図示）を設けておき、電圧センサ及び電流センサによる出力電圧及び出力電流の検出値からバッテリ部２の残容量を検出することができる。
【００３２】
ホスト装置４は、ホスト電源電圧を駆動電圧として用いて動作する。ホスト電源電圧は、ホスト装置４の動作が必要な場合にのみ電源回路３からホスト装置４に供給される。ホスト電源電圧がホスト装置４に供給されている期間は、ホスト装置４の電源がオンとされている期間（以下、オン期間とも言う）であり、ホスト電源電圧がホスト装置４に供給されていない期間は、ホスト装置４の電源がオフとされている期間（以下、オフ期間とも言う）である。ユーザは、電子機器１に対して所定の操作を成すことで、ホスト装置４の電源をオフからオンへ又はオンからオフへ切り換えることができる。また、オン期間において所定条件が満たされたとき（例えば、電子機器１に対して一定時間何の操作も成されなかったとき）、ユーザの操作に拠らず、ホスト装置４の電源がオンからオフへと切り換えられても良い。例えば、ホスト装置４がデジタルカメラである場合、オン期間においてのみ、バッテリ部２からの電力が電源回路３を介してホスト装置４に供給され、ホスト装置４はデジタルカメラの機能（静止画像又は動画像の撮影動作など）を実現する。
【００３３】
ＧＰＳ受信部５は、ＧＰＳ電源電圧を駆動電圧として用いて動作する。ＧＰＳ電源電圧は、オン期間及びオフ期間の何れにおいてもＧＰＳ受信部５に供給されうる。タイマ６は、タイマ電源電圧を駆動電圧として用いて動作する。例えば、電子機器１に設けられたタイマ用二次電池（不図示）の出力電圧が、タイマ電源電圧としてタイマ６に供給される。タイマ電源電圧はバッテリ部２から供給されても良い。ＧＰＳ電源電圧をタイマ電源電圧としてタイマ６に供給するようにしても良い。
【００３４】
以下の説明では、タイマ６に対して常にタイマ電源電圧が供給されているものとする。ＧＰＳ電源電圧は、測位処理の実行中においてのみＧＰＳ受信部５に供給される。但し、ＧＰＳ電源電圧を、常にＧＰＳ受信部５に供給するようにしても良い。ＧＰＳ電源電圧を常にＧＰＳ受信部５に供給していたとしても、測位処理が行われていない期間においてはＧＰＳ受信部５の電力消費は軽微である。
【００３５】
オン期間において、ＧＰＳ受信部５は、測位を定期的に繰り返し実行する。測位の実行タイミングの決定に、タイマ６を用いるようにしても良い。例えば、オン期間においては、数十秒間隔又は数分間隔で測位を周期的に実行する。但し、オン期間において測位が不定期に実行されても良い。
【００３６】
ＧＰＳ受信部５は、ＧＰＳ衛星からの信号を良好に受信できるとは限らず、受信環境によっては受信信号からエフェメリスデータを取得することができない。ホスト装置４の位置計算に必要なＧＰＳ衛星のエフェメリスデータを受信信号から取得できた測位を成功測位と呼び、ホスト装置４の位置計算に必要なＧＰＳ衛星のエフェメリスデータを受信信号から取得できた状態を測位の成功と表現する。ホスト装置４の位置計算に必要なＧＰＳ衛星のエフェメリスデータを受信信号から取得できなかった測位を失敗測位と呼び、ホスト装置４の位置計算に必要なＧＰＳ衛星のエフェメリスデータを受信信号から取得できなかった状態を測位の失敗と表現する。
【００３７】
メモリ１３に保存されるエフェメリスデータはホスト装置４の位置計算に必要なＧＰＳ衛星のエフェメリスデータであり、メモリ１３に保存されるエフェメリスデータは最新のものへと順次更新保存される。即ち、図３に示す如く、第１時刻において測位が成功してエフェメリスデータ３１１が得られた場合、エフェメリスデータ３１１がメモリ１３に保存されるが、この際、第１時刻よりも前に取得されたエフェメリスデータがメモリ１３に保存されている場合には、メモリ１３に保存されるエフェメリスデータを、第１時刻よりも前に取得されたエフェメリスデータからエフェメリスデータ３１１へと更新する。第１時刻よりも後の第２時刻において、再度測位が成功してエフェメリスデータ３１２が得られた場合、メモリ１３に保存されるエフェメリスデータがエフェメリスデータ３１１からエフェメリスデータ３１２へと更新される。第１及び第２時刻間には、１以上の失敗測位が存在しうる。
【００３８】
周知の如く、測位処理には、測位の完了に約３６秒以上必要なコールドスタートと約５秒で測位が完了するホットスタートとがある。但し、ホットスタートの実行には時間的制限がある。即ち、前回にエフェメリスデータを得た時点から規定時間Ｌ０（例えば、約２時間）以内においてのみホットスタートを実行可能であり、前回にエフェメリスデータを得た時点から規定時間Ｌ０が経過した後には、コールドスタートしか実行できない。ホットスタートは、メモリ１３に有効なエフェメリスデータが保存されている場合に実行できる測位処理であり、メモリ１３に保存された有効なエフェメリスデータを用いて成される。メモリ１３に有効なエフェメリスデータが保存されていない場合には、ホットスタートを行うことができず、コールドスタートによる測位が成される。規定時間Ｌ０は、ＧＰＳにおいて規定されたエフェメリスデータの寿命の長さに応じた時間である。寿命の満了したエフェメリスデータは有効ではない。
【００３９】
オフ期間の長さが規定時間Ｌ０よりも長い場合において、仮にオフ期間中に測位を一度も行わなかったならば、次回、ホスト装置４の電源をオンとした際、コールドスタートしか実行できなくなる。これを回避すべく、ＧＰＳ受信部５は、オフ期間においても測位を間欠的に実行する。以下の説明では、オン期間に成される測位とオフ期間に成される測位とを区別するべく、オン期間に成される測位を特に正測位とも呼び、オフ期間に成される測位を特に裏測位とも呼ぶ。図３を参照して述べた第１及び第２時刻における測位は、正測位又は裏測位であり、第１及び第２時刻における測位の内の一方が正測位であって且つ他方が裏測位であっても良い。
【００４０】
オフ期間において裏測位を間欠的に実行させる動作を裏測位制御動作と呼ぶ。オフ期間において、測位制御部１２は、タイマ６の出力を用いて裏測位制御動作を成す。ここでは、時間的に隣接する２つの裏測位の実行間隔は一定であるとする。即ち、オフ期間において、図４（ａ）に示す如く、裏測位は一定周期にて定期的に実行される。上記一定周期は、例えば数分から数１０分の長さを持つ。但し、図４（ｂ）に示す如く、時間的に隣接する２つの裏測位の実行間隔は一定でなくても良い。即ち例えば、１回目及び２回目の裏測位の実行間隔３２１と２回目及び３回目の裏測位の実行間隔３２２は互いに異なっていても良い。
【００４１】
図５に、本実施形態で想定されるオン期間、オフ期間及び裏測位の実行時点等のタイミング関係を示す。時刻ｔＯＦＦは、ホスト装置４の電源がオンからオフへ切り換えられた時刻である。時刻ｔＯＦＦより前の所定時刻から時刻ｔＯＦＦまで続くオン期間をオン期間３５１と呼ぶと共に、時刻ｔＯＦＦから時刻ｔＯＦＦよりも後の所定時刻まで続くオフ期間をオフ期間３５２と呼ぶ。従って、時刻ｔＯＦＦは、オン期間３５１の終了時刻及びオフ期間３５２の開始時刻と一致する。オン期間３５１の直前のオフ期間をオフ期間３５０と呼び、オフ期間３５２の直後のオン期間をオン期間３５３と呼ぶ。
【００４２】
以下の説明において、ｉ回目の裏測位とは、特に断りなき限りオフ期間３５２中に成されたｉ回目の裏測位を指す（変数ｉは整数）。時刻ｔＯＦＦにおいてホスト装置４の電源がオフとされると、ＧＰＳ受信部５の電源もオフとされ、その後、１回目の裏測位を成すべく時刻ｔ１においてＧＰＳ受信部５の電源はオンとされる。１回目の裏測位のための測位処理が終了するとＧＰＳ受信部５の電源はオフとされ、その後、時刻ｔ２に至ると、２回目の裏測位を成すべくＧＰＳ受信部５の電源が再びオンとされる。そして、２回目の裏測位のための測位処理が終了するとＧＰＳ受信部５の電源は再びオフとされる。このような裏測位の繰り返し実行がオフ期間３５２において成される。オフ期間３５２においてＧＰＳ受信部５の電源がオンのとき、ＧＰＳ受信部５はＧＰＳ電源電圧の供給を得て裏測位を成す。オフ期間３５２においてＧＰＳ受信部５の電源がオフのとき、当然、裏測位は成されない。尚、時刻ｔＯＦＦにおいてホスト装置４の電源がオフとされたとき及びｉ回目の裏測位のための測位処理が終了したとき、ＧＰＳ受信部５の電源をオフとするのではなく、ＧＰＳ受信部５の動作モードを省電力の休眠モードに移行させても良い。ＧＰＳ受信部５の電源がオフのときと同様、ＧＰＳ受信部５の動作モードが休眠モードであるときにおいても、裏測位は成されない。ＧＰＳ受信部５の電源がオフであるときにおいても、ＧＰＳ受信部５の動作モードが休眠モードであるにおいても、エフェメリスデータはメモリ１３又はホスト装置４にて保持される。
【００４３】
時刻ｔ１は時刻ｔＯＦＦよりも後の時刻であり、時刻ｔｉ＋１は時刻ｔｉよりも後の時刻である。裏測位を定期的に実行する場合、変数ｉの値に関わらず、時刻ｔｉ及びｔｉ＋１間の間隔は一定（例えば、数分〜数１０分）である。ホスト装置４の電源がオフとされた後、遅滞なく時刻ｔ１が訪れても良い。即ち、時刻ｔＯＦＦにおいてホスト装置４の電源がオフとされた場合、即時、１回目の裏測位を実行しても良い。そして例えば、時刻ｔ１を起点として一定時間が経過する毎に、タイマ６に起動信号（トリガ信号）を発生させて該起動信号をＧＰＳ受信部５に与えるようにすると良い。ＧＰＳ受信部５は、起動信号を受けるたびに１回分の裏測位を実行する。測位処理の実行時にのみＧＰＳ電源電圧がＧＰＳ受信部５に供給されるように電子機器１が構成されている場合には、起動信号を電源回路３にも与えて、ＧＰＳ電源電圧の供給と測位処理の実行を同期させると良い。
【００４４】
裏測位を実行するようにすれば、オフ期間３５２の長さが規定時間Ｌ０よりも長い場合においても、次回にホスト装置４の電源がオンとされたとき、直ちにホットスタートを行うことが可能となる。しかしながら、裏測位の実行は当然電力消費を伴うため、無制限に裏測位を実行することは望ましくない。例えば、オフ期間が相応に長いときにおいて無制限に裏測位を繰り返し実行すると、ユーザの知らぬ間にバッテリ部２の残容量が枯渇し、次回にホスト装置４の電源をオンしようとしたときにホスト装置４を起動できないからである。
【００４５】
これを考慮し、ＧＰＳ受信部５は、裏測位制御動作の開始又は実行に所定の制限を課す。以下に、この制限を定める第１〜第５制限方法を例示する。ＧＰＳ受信部５は、第１〜第５制限方法の内、１以上の制限方法を用いて裏測位制御動作の開始又は実行に制限を課すことができる。
【００４６】
［第１制限方法］
第１制限方法を説明する。一般的に、ホットスタートは１秒〜１０秒程度の処理時間を必要とする一方で、コールドスタートは３６秒〜９０秒程度の処理時間を必要とする。従って、裏測位がホットスタートであることを想定した場合には、裏測位の成功／失敗を判定するために（１０＋１０×ｋ１）秒待てば済むのに対し、裏測位がコ−ルドスタートであることをも想定した場合には、裏測位の成功／失敗を判定するために（９０＋９０×ｋ２）秒待つ必要がある（ｋ１及びｋ２は、例えば、０．１〜１．０）。即ち、裏測位がホットスタートのみに限定したならば、１回分の裏測位を（１０＋１０×ｋ１）秒で完了できるのに対し、裏測位がコールドスタートであることをも許容したならば、１回分の裏測位に（９０＋９０×ｋ２）秒の処理時間が必要となる。処理時間の増大は当然電力消費の増大を招く。
【００４７】
このように、コールドスタートによる電力消費はホットスタートによる電力消費よりも随分と大きいため、第１制限方法及び後述の第２制限方法では、ホットスタートの適用期間（オン期間の初回測位に対するホットスタートの適用期間）を延ばすに当たり、裏測位をホットスタートのみに限定する（換言すれば、コールドスタートの裏測位を禁止する）。オフ期間３５２に注目した場合、裏測位をホットスタートのみに限定するとは、例えば、時刻ｔｉにてｉ回目の裏測位を開始してから（１０＋１０×ｋ１）秒待っても測位の成功が検知されない場合、その時点でｉ回目の裏測位が失敗したと判断してｉ回目の裏測位を終了することを意味する。
【００４８】
そうすると、オフ期間３５２に至る前に成された最新の成功測位の時刻ｔＡから時刻ｔＯＦＦまでに規定時間Ｌ０以上が経過している場合、オフ期間３５２中における裏測位の実行は無駄である（図６参照）。この場合、裏測位を実行してもエフェメリスデータを得ることはできず、オン期間３５３における初回の正測位は必ずコールドスタートになるからである。
【００４９】
そこで、第１制限方法に係る測位制御部１２は、時刻ｔＡから時刻ｔＯＦＦまでの経過時間、即ち、時刻ｔＡ及び時刻ｔＯＦＦ間の時間差ＬＤＩＦを求め（図６参照）、時間差ＬＤＩＦを所定の基準時間Ｌ１と比較する。そして、時間差ＬＤＩＦが基準時間Ｌ１以上であるとき、測位制御部１２は、オフ期間３５２における裏測位制御動作の開始を禁止する。即ち、時間差ＬＤＩＦが基準時間Ｌ１以上であるとき、オフ期間３５２において裏測位は一回も成されない。時間差ＬＤＩＦが基準時間Ｌ１未満であるならば、このような禁止は成されず、オフ期間３５２において１回以上の裏測位が成される。
【００５０】
時刻ｔＯＦＦは、オフ期間３５２の開始時点（ホスト装置４の電源のオンからオフへの切り換え時点）に相当し、時刻ｔＡは、オフ期間３５２の開始時点から見て前回に測位が成功した時点に相当する。時刻ｔＡにおける成功測位は、時刻ｔＯＦＦ以前に成された成功測位の内、最も時刻ｔＯＦＦに近い時刻において成された成功測位である。時刻ｔＡは、オフ期間３５０又はオン期間３５１に属する時刻でありうるし（図５参照）、オフ期間３５０より前のオフ期間に属する時刻又はオン期間３５１より前のオン期間に属する時刻でもありうる。
【００５１】
基準時間Ｌ１は、ホットスタートを可能とするための上記規定時間Ｌ０に応じた時間である。典型的には例えば、基準時間Ｌ１は規定時間Ｌ０と同じとされる。但し、規定時間Ｌ０よりも所定時間ΔＬだけ短い又は長い時間を基準時間Ｌ１に設定しても構わない。尚、本実施形態において、上述の記号Ｌ０、Ｌ１、ＬＤＩＦ及びΔＬ並びに後述の記号Ｌ２、Ｌ３、ＬＱ１、ＬＱ２及びＬＱ３を含むアルファベット記号“Ｌ”を用いて表現される時間又は時間差は、アルファベット記号“ｔ”を用いて表現される時刻と異なり、時間の長さを表す用語である。
【００５２】
第１制限方法によれば、ホスト装置４の次回起動時におけるホットスタートの実現に寄与しない、無駄な裏測位の実行が禁止される。或いは、コールドスタートの裏測位を実行することによる大きな電力消費を抑制することができる。つまり、ホスト装置４の次回起動時における測位高速化（ホットスタート）を実現可能な電子機器１において、第１制限方法を適用すれば、オフ期間中における無駄な又は過度の電力消費を抑制することができる。
【００５３】
［第２制限方法］
図７（ａ）及び図７（ｂ）を参照して、第２制限方法を説明する。オフ期間３５２における裏測位をホットスタートのみに限定するという想定の下で、規定時間Ｌ０以上に亘って連続的に裏測位が失敗した場合、オン期間３５３における初回の正測位は必ずコールドスタートになるため、それ以上、裏測位を行っても無駄である。
【００５４】
そこで、第２制限方法に係る測位制御部１２は、オフ期間３５２において、裏測位制御動作の実行開始後、基準時間Ｌ１以上に亘って裏測位が連続して失敗したとき、その時点で裏測位制御動作の実行を終了する（図７（ａ）参照）。オフ期間３５２において裏測位制御動作の実行が終了すると、その終了以後、オフ期間３５２において新たな裏測位は成されない。
【００５５】
例えば、図７（ａ）に示す如く、時刻ｔ１において成した１回目の裏測位が成功測位であって、且つ、時刻ｔ２〜ｔｎにおいて成した２回目〜ｎ回目の裏測位が全て失敗測位であって、且つ、時刻ｔ１から基準時間Ｌ１だけ経過した時刻ｔＢが時刻ｔｎ及びｔｎ＋１間の時刻である場合、時刻ｔｎにおいてｎ回目の裏測位を成した後、時刻ｔｎ＋１において（ｎ＋１）回目の裏測位を成すことなく裏測位制御動作を終了する。裏測位制御動作の終了と、裏測位制御動作の実行の終了は同義である。変数ｎは整数であり、図７（ａ）の例における変数ｎは３以上の整数である。時刻ｔＢは時刻ｔｎ又は時刻ｔｎ＋１でありうる。尚、図７（ａ）の例において、仮にｎ回目の裏測位が成功測位であるならば時刻ｔｎ以後も裏測位制御動作が継続され、時刻ｔｎ以後において基準時間Ｌ１以上に亘り連続的に裏測位が失敗したならば、その時点で裏測位制御動作が終了せしめられる。
【００５６】
或いは、測位制御部１２は、オフ期間３５２前に成された１又は複数の測位及びオフ期間３５２中に成された１又は複数の裏測位を含む全ての測位が、基準時間Ｌ１以上に亘って連続して失敗したとき、その時点で裏測位制御動作の実行を終了する。即ち例えば、図７（ｂ）に示す如く、上述の時刻ｔＡにおいて成した測位（正測位又は裏測位）が成功測位であって、且つ、時刻ｔＡより後で時刻ｔｎより前に成した１以上の測位（正測位又は裏測位）及び時刻ｔｎに成したオフ期間３５２中のｎ回目の裏測位が全て失敗測位であって、且つ、時刻ｔＡから基準時間Ｌ１だけ経過した時刻ｔＢが時刻ｔｎ及びｔｎ＋１間の時刻である場合、時刻ｔｎにおいてｎ回目の裏測位を成した後、時刻ｔｎ＋１において（ｎ＋１）回目の裏測位を成すことなく裏測位制御動作を終了する。上述したように、時刻ｔＢは時刻ｔｎ又は時刻ｔｎ＋１でありうる。図７（ｂ）の例における変数ｎは１以上の整数である。
【００５７】
第１制限方法と同様、第２制限方法によっても、ホスト装置４の次回起動時におけるホットスタートの実現に寄与しない無駄な裏測位の実行が禁止される。或いは、コールドスタートの裏測位を実行することによる大きな電力消費を抑制することができる。このため、オフ期間中における無駄な又は過度の電力消費を抑制することができる。
【００５８】
［第３制限方法］
図８を参照して第３制限方法を説明する。ホスト装置４が長期間に亘って同じ場所に配置されている状態は、ホスト装置４が長期間使用されることなく放置されている状態に相当すると推測される。このような状態において裏測位を継続しつづける必要性は低い。
【００５９】
そこで、第３制限方法に係る測位制御部１２は、裏測位制御動作の実行開始後、オフ期間３５２において成された複数の裏測位の測位結果データに基づき、オフ期間３５２中においてホスト装置４の位置（換言すれば電子機器１の位置）に変化があるか否かを判別する。そして、その判別結果に基づき、オフ期間３５２において所定の基準時間Ｌ２以上に亘りホスト装置４の位置が変化していないと判断した場合、測位制御部１２は、その判断を成した時点で裏測位制御動作の実行を終了する。オフ期間３５２において基準時間Ｌ２以上に亘りホスト装置４の位置が変化していないと判断することを、便宜上、位置静止判断と呼ぶ。規定時間Ｌ０及び基準時間Ｌ１よりも長い時間を基準時間Ｌ２に設定することが望ましい。
【００６０】
例えば、図８に示す如く、時刻ｔ１から基準時間Ｌ２だけ経過した時刻が時刻ｔｎである又は時刻ｔｎ−１及び時刻ｔｎ間の時刻である場合であって、且つ、時刻ｔ１〜時刻ｔｎにおいて成したｎ回分の裏測位の中に複数の成功測位が含まれている場合、測位制御部１２は、その複数の成功測位にて得られた複数の測位結果データに基づき、時刻ｔ１〜時刻ｔｎにおいてホスト装置４の位置に変化があったか否かを判別する。測位結果データにて示されるホスト装置４の位置が上記複数の測位結果データ間で同じである場合、位置静止判断が成され、そうでない場合、位置静止判断は成されない。そして、時刻ｔｎにおいて位置静止判断が成された場合には、時刻ｔｎ＋１において（ｎ＋１）回目の裏測位を成すことなく裏測位制御動作を終了する。図８の例における変数ｎは２以上の整数である。
【００６１】
第３制限方法によれば、裏測位継続の必要性が低いと推測される状態において、新たな裏測位の実行が禁止される。このため、必要性の低い裏測位実行による電力消費を抑制することができる。
【００６２】
［第４制限方法］
第４制限方法を説明する。ホスト装置４の電源が長期間に亘ってオフとされている状態は、ホスト装置４が長期間使用されることなく放置されている状態に相当すると推測される。このような状態において裏測位を継続しつづける必要性は低い。
【００６３】
そこで、第４制限方法に係る測位制御部１２は、裏測位制御動作の実行開始後、タイマ１３を用いてオフ期間３５２の開始時点（即ち時刻ｔＯＦＦ）からの経過時間を監視し、その経過時間が所定の基準時間Ｌ３以上となったとき、裏測位制御動作の実行を終了する。即ち、その経過時間が基準時間Ｌ３以上になった後、オフ期間３５２において新たな裏測位の実行を禁止する。規定時間Ｌ０及び基準時間Ｌ１よりも長い時間を基準時間Ｌ３に設定することが望ましい。
【００６４】
第３制限方法と同様、第４制限方法によっても、裏測位継続の必要性が低いと推測される状態において新たな裏測位の実行が禁止される。このため、必要性の低い裏測位実行による電力消費を抑制することができる。
【００６５】
［第５制限方法］
第５制限方法を説明する。裏測位の実行によってバッテリ部２の残容量が少なくなりすぎることは好ましくない。
【００６６】
そこで、第５制限方法に係る測位制御部１２は、オフ期間３５２においてバッテリ部２の残容量ＣＤＥＴを監視し、残容量ＣＤＥＴが所定の基準容量ＣＲＥＦ以下になったときには、新たな裏測位の実行を禁止する。これを実現するべく、オフ期間３５２においても、残容量検出部７に、バッテリ部２の残容量の検出を定期的に実行させると良い。残容量ＣＤＥＴは、残容量検出部７によるバッテリ部２の残容量の検出値を表す。
【００６７】
オフ期間３５２において時刻ｔ１以前に、バッテリ部２の残容量ＣＤＥＴが基準容量ＣＲＥＦ以下になっていることが検出された場合、測位制御部１２は、オフ期間３５２における裏測位制御動作の開始を禁止することができる（即ち、１回も裏測位を行うことなくオフ期間３５２における裏測位制御動作を終了させることができる）。オフ期間３５２における裏測位制御動作の開始後（即ち、オフ期間３５２において裏測位を１回以上行った後）、バッテリ部２の残容量ＣＤＥＴが基準容量ＣＲＥＦ以下になっていることが検出された場合、その検出時点で、測位制御部１２は、オフ期間３５２における裏測位制御動作の実行を終了することができる（即ち、バッテリ部２の残容量が基準容量ＣＲＥＦ以下になっていることが検出された後、新たな裏測位の実行を禁止することができる）。
【００６８】
第５制限方法によれば、裏測位の実行によってバッテリ部２の残容量が少なくなりすぎることを防止することができる。
【００６９】
［動作フローチャート］
図９は、裏測位制御動作の手順を表すフローチャートである。図９を参照して、裏測位制御動作の手順を説明する。尚、図９の裏測位制御動作では、上述の第１〜第５制限方法の全てが実現されているが、第１〜第５制限方法の内、４以下の制限方法のみが実現されてもよい。ステップＳ１１、Ｓ１７、Ｓ１５、Ｓ１６、Ｓ１２の処理によって、夫々、第１、第２、第３、第４、第５制限方法が実現されている。
【００７０】
ステップＳ１０においてホスト装置４の電源がオンからオフに切り換えられ、オフ期間３５２が開始すると、まず、測位制御部１２は、ステップＳ１１における判断を成す。ステップＳ１１では、前回の成功測位の時点（即ち図６の時刻ｔＡ）から時刻ｔＯＦＦまでの経過時間、即ち図６の時間差ＬＤＩＦを求め、時間差ＬＤＩＦと基準時間Ｌ１を比較する。そして、第１不等式「ＬＤＩＦ≧Ｌ１」が成立する場合には、ステップＳ１１からステップＳ１８に移行して、以後、オフ期間３５２中における新たな裏測位を禁止する。一方、第１不等式が成立しない場合にはステップＳ１１からステップＳ１２に移行する。
【００７１】
ステップＳ１２において、測位制御部１２は、現時点におけるバッテリ部２の残容量ＣＤＥＴを基準容量ＣＲＥＦと比較する。そして、第２不等式「ＣＤＥＴ≦ＣＲＥＦ」が成立する場合には、ステップＳ１２からステップＳ１８に移行して、以後、オフ期間３５２中における新たな裏測位を禁止する。一方、第２不等式が成立しない場合にはステップＳ１１からステップＳ１３に移行する。
【００７２】
ステップＳ１３において、測位制御部１２は、測位処理部１１に裏測位を一回分だけ実行させる。続くステップＳ１４において、測位制御部１２は、ステップＳ１３における裏測位が成功したか否かを判断する。ステップＳ１３における裏測位が成功した場合にはステップＳ１４からステップＳ１５に移行する一方で、ステップＳ１３における裏測位が失敗した場合にはステップＳ１４からステップＳ１７に移行する。裏測位が成功した場合、上述したように、メモリ１３内のエフェメリスデータが最新の裏測位による最新のエフェメリスデータに更新される。
【００７３】
ステップＳ１５において、測位制御部１２は、最新の裏測位を含む複数の裏測位の測位結果データに基づきホスト装置４がオフ期間３５２において同一の場所に連続的に置かれていた時間ＬＱ１を求め、時間ＬＱ１を基準時間Ｌ２と比較する。そして、第３不等式「ＬＱ１≧Ｌ２」が成立する場合には、ステップＳ１５からステップＳ１８に移行して、以後、オフ期間３５２中における新たな裏測位を禁止する。一方、第３不等式が成立しない場合にはステップＳ１５からステップＳ１６に移行する。例えば、時刻ｔ１〜ｔ５にて成された１〜５回目の裏測位が全て成功測位であって、１〜５回目の裏測位により１回目〜５回目の測位結果データが得られた場合において、測位結果データで示されるホスト装置４の位置が１回目〜５回目の測位結果データ間で互いに同じであるならば、５回目の測位結果データが得られた時点における時間ＬＱ１は時刻ｔ１及びｔ５間の時間差であり、測位結果データで示されるホスト装置４の位置が１回目及び２回目の測位結果データ間で互いに異なるが２回目〜５回目の測位結果データ間で互いに同じであるならば、５回目の測位結果データが得られた時点における時間ＬＱ１は時刻ｔ２及びｔ５間の時間差である。
【００７４】
ステップＳ１６において、測位制御部１２は、オフ期間３５２の開始時点からの経過時間である総経過時間ＬＱ２を基準時間Ｌ３と比較し、第４不等式「ＬＱ２≧Ｌ３」が成立する場合には、ステップＳ１６からステップＳ１８に移行して、以後、オフ期間３５２中における新たな裏測位を禁止する。一方、第４不等式が成立しない場合には、裏測位の実行周期に応じた一定時間分だけ待機してからステップＳ１２に戻る。待機の解除はタイマ６の起動信号を用いて実現される。
【００７５】
ステップＳ１７において、測位制御部１２は、連続失敗時間ＬＱ３を基準時間Ｌ１と比較し、第５不等式「ＬＱ３≧Ｌ１」が成立する場合には、ステップＳ１７からステップＳ１８に移行して、以後、オフ期間３５２中における新たな裏測位を禁止する。一方、第５不等式が成立しない場合には、裏測位の実行周期に応じた一定時間分だけ待機してからステップＳ１２に戻る。待機の解除はタイマ６の起動信号を用いて実現される。連続失敗時間ＬＱ３は、連続的な失敗測位の合計時間に相当し、現時点と最新の成功測位の時点との時間差を連続失敗時間ＬＱ３として用いることができる。
【００７６】
尚、上記の第１、第３、第４又は第５不等式における不等号“≧”を不等号“＞”に変更することも可能であるし、上記の第２不等式における不等号“≦”を不等号“＜”に変更することも可能である。
【００７７】
上述したような裏測位の実行制御により、バッテリ容量の無駄な消費等を抑制しつつ、ホスト装置４の次回起動時における測位の高速化（ホットスタート）を実現することができる。換言すれば、バッテリ寿命とのバランスを保ちつつ、次回起動時の測位高速化を実現することができる。
【００７８】
［変形動作例α］
次に、上述してきた動作の変形例に相当する変形動作例αを説明する。上述の説明において想定していた、ホスト装置４の電源がオンである状態は、ホスト装置４の動作モードが通常モードである状態に相当する。ホスト装置４がとり得る状態には、ホスト装置４の動作モードが通常モードである状態に加えて、ホスト装置４の動作モードが省電力モードである状態もが含まれうる。例えば、電子機器１に対し一定期間以上ユーザからの操作が何ら成されないときや、電子機器１に対して所定操作が成されたとき、ホスト装置４の動作モードが通常モードから省電力モードへと移行する。また例えば、ホスト装置４の動作モードが省電力モードであるときにおいて、電子機器１に対して何らかの操作が成されたとき、ホスト装置４の動作モードは省電力モードから通常モードへ移行する。ホスト装置４の動作モードが通常モードであるときと比べて、ホスト装置４の動作モードが省電力モードであるときには、ホスト装置４の消費電力は少ないが、ホスト装置４にて実現可能な機能が制限される或いはホスト装置４における各種処理の速度が遅くなる。
【００７９】
ホスト装置４の動作モードが通常モードである期間を通常期間と呼び、ホスト装置４の動作モードが省電力モードである期間を省電力期間と呼ぶ。変形動作例αにおいては、上述した裏測位に関する各種方法が、ホスト装置４の動作モードが省電力モードであるときに適用される。即ち、変形動作例αにおいては、上述のオン期間及びオフ期間をそれぞれ通常期間及び省電力期間に読み替えた上で上述の各種動作が実行される。従って例えば、変形動作例αにおいては、正測位及び裏測位はそれぞれ通常期間及び省電力期間に成される測位を指し、裏測位制御動作は省電力期間において裏測位を間欠的に実行させる動作を指し、時刻ｔＯＦＦはホスト装置４の動作モードが通常モードから省電力モードへと切り換えられた時刻を指し、図５のオフ期間３５０、オン期間３５１、オフ期間３５２及びオン期間３５３は夫々省電力期間３５０、通常期間３５１、省電力期間３５２及び通常期間３５３に読み替えられる。
【００８０】
オフ期間及び省電力期間の夫々は、裏測位制御動作が成されるべき特定期間の一種である。
【００８１】
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。上述の実施形態に適用可能な注釈事項として、以下に、注釈１及び注釈２を記す。各注釈に記載した内容は、矛盾なき限り、任意に組み合わせることが可能である。
【００８２】
［注釈１］
第１制限方法の説明の際、裏測位をホットスタートのみに限定することについて述べた。しかしながら、この限定を本発明に係る裏測位の全てに適用する必要は必ずしもなく、本発明に係る裏測位はコールドスタートでもありうる。特に、第３〜第５制限方法の実現に当たっては、裏測位はコールドスタートであっても構わない。裏測位の対象にコールドスタートをも含めることで、ホスト装置４の次回起動時におけるホットスタートの実現可能性が高まる。
【００８３】
［注釈２］
電子機器１を、ハードウェア、或いは、ハードウェアとソフトウェアの組み合わせによって構成することができる。ソフトウェアを用いて電子機器１を構成する場合、ソフトウェアにて実現される部位についてのブロック図は、その部位の機能ブロック図を表すことになる。ソフトウェアを用いて実現される機能をプログラムとして記述し、該プログラムをプログラム実行装置（例えばコンピュータ）上で実行することによって、その機能を実現するようにしてもよい。
【符号の説明】
【００８４】
１  電子機器
２  バッテリ部
３  電源回路
４  ホスト装置
５  ＧＰＳ受信部
６  タイマ
７  残容量検出部
１１  測位処理部
１２  測位制御部
１３  メモリ
【図１】
2012154872.tif 000003
【図２】
2012154872.tif 000004
【図３】
2012154872.tif 000005
【図４】
2012154872.tif 000006
【図５】
2012154872.tif 000007
【図６】
2012154872.tif 000008
【図７】
2012154872.tif 000009
【図８】
2012154872.tif 000010
【図９】
2012154872.tif 000011